(57)【要約】【課題】化粧台や机としての利用と、調理台としての利用のどちらにも適したカウンターユニットを提案する。【解決手段】カウンターユニット１は、作業カウンター２と、作業カウンター２の一部に設置され、作業カウンター２より高く位置する上端開口３０を有するシンク３と、上端開口３０を開閉する蓋部材４と、を備える。蓋部材４は、作業カウンター２の上方において水平方向に移動することで、上端開口３０を閉じる閉位置と上端開口３０を開く開位置との間で移動可能である。蓋部材４の上面４０は、閉位置と開位置の間のいずれの位置においても、作業カウンター２より高く位置する。【選択図】図２
2020078404.tif 000002
【特許請求の範囲】
【請求項１】
作業カウンターと、
前記作業カウンターの一部に設置され、前記作業カウンターより高く位置する上端開口を有するシンクと、
前記上端開口を開閉する蓋部材と、を備え、
前記蓋部材は、前記作業カウンターの上方において水平方向に移動することで、前記上端開口を閉じる閉位置と前記上端開口を開く開位置との間で移動可能であり、
前記蓋部材の上面は、前記閉位置と前記開位置の間のいずれの位置においても、前記作業カウンターより高く位置する、
カウンターユニット。
【請求項２】
前記蓋部材は、
蓋本体と、
前記蓋本体から下方に突出し、前記作業カウンターに載る脚部と、を有する、
請求項１のカウンターユニット。
【請求項３】
前記蓋部材は、前記開位置において前記シンクに引っ掛かり、前記蓋部材が前記開位置を越えて前記上端開口から離れる方向に水平移動することを規制する規制部を有する、
請求項１または２のカウンターユニット。
【請求項４】
前記シンクは、前記蓋部材の水平移動を、前記蓋部材にすりながら接してガイドするように構成されたガイド部を有する、
請求項１から３のいずれか一つのカウンターユニット。
【請求項５】
前記蓋部材の前記上面の外周部は、前記上面の他の部分よりも盛り上がった堰部分を有する、
請求項１から４のいずれか一つのカウンターユニット。
【請求項６】
前記シンク内に設置される網かごを更に備え、
前記網かごは、物を置くことのできる傾斜した底面を有する、
請求項１から５のいずれか一つのカウンターユニット。
【請求項７】
ワゴンを更に備え、
前記ワゴンは、
前記作業カウンターよりも高く位置する調理作業面を有するワゴン本体と、
前記ワゴン本体を水平方向に移動可能に支持するローラーと、
前記ワゴン本体を前記作業カウンターに着脱可能に固定する固定部と、を有する、
請求項１から６のいずれか一つのカウンターユニット。
【発明の詳細な説明】
【技術分野】
【０００１】
本開示は、カウンターユニットに関する。
【背景技術】
【０００２】
特許文献１には、居室に設置されるシンク付きカウンターが記載されている。
【０００３】
このシンク付きカウンターの上面には、平坦面で形成された作業域と、シンクが設置された給水域が形成されている。
【０００４】
このシンク付きカウンターによれば、化粧を行う化粧台や、読書等を行う机としての利用が可能なカウンターに、食器類を洗う流し台としての機能を兼ね備えさせている。
【０００５】
利用者は、椅子に座った状態で、このシンク付きカウンターを化粧台や机として利用する。
【先行技術文献】
【特許文献】
【０００６】
【特許文献１】特開２０００−２１７６５０号公報
【発明の概要】
【発明が解決しようとする課題】
【０００７】
ところで、特許文献１に記載のシンク付きカウンターのように、化粧台や机としての利用が主目的のカウンターは、カウンターの高さを、椅子に座った状態での利用に適した高さに、設定することが一般的である。
【０００８】
しかし、この場合、シンク付きカウンターを、立った状態での利用が主である調理台として利用するには、カウンターの高さが適切ではない。
【０００９】
上記事情に鑑みて、本開示は、化粧台や机としての利用と、調理台としての利用のどちらにも適したカウンターユニットを提案することを、目的とする。
【課題を解決するための手段】
【００１０】
本開示に係る一態様のカウンターユニットは、作業カウンターと、前記作業カウンターの一部に設置され、前記作業カウンターより高く位置する上端開口を有するシンクと、前記上端開口を開閉する蓋部材と、を備える。前記蓋部材は、前記作業カウンターの上方において水平方向に移動することで、前記上端開口を閉じる閉位置と前記上端開口を開く開位置との間で移動可能である。前記蓋部材の上面は、前記閉位置と前記開位置の間のいずれの位置においても、前記作業カウンターより高く位置する。
【発明の効果】
【００１１】
本開示の上記態様によれば、化粧台や机としての利用と、調理台としての利用のどちらにも適したカウンターユニットを提案することができる。
【図面の簡単な説明】
【００１２】
【図１】図１は、一実施形態のカウンターユニットを示す斜視図である。
【図２】図２Ａは、同上のカウンターユニットが備えるシンクと、閉位置にあるときの蓋部材を示す斜視図であり、図２Ｂは、同上のシンクと、開位置にあるときの蓋部材を示す斜視図である。
【図３】図３Ａは、同上のシンクを示す平面図であり、図３Ｂは、図３Ａのａ−ａ線における断面図であり、図３Ｃは、図３Ａのｂ−ｂ線における断面図であり、図３Ｄは、図３Ａのｃ−ｃ線における断面図である。
【図４】図４Ａは、同上の蓋部材を示す平面図であり、図４Ｂは、同上の蓋部材を示す側面図であり、図４Ｃは、同上の蓋部材を示す他の側面図であり、図４Ｄは、同上の蓋部材を示す正面図である。
【図５】図５は、同上のシンクと、閉位置にあるときの蓋部材と、網かごを示す正面断面図である。
【図６】図６は、同上のカウンターユニットが備えるワゴンを示す斜視図である。
【図７】図７は、同上のワゴンが有する家電ワゴンを示す斜視図である。
【図８】図８は、同上のカウンターユニットが備える収容棚を示す概略的な断面図である。
【図９】図９は、同上のカウンターユニットの利用状態の一例を示す斜視図である。
【図１０】図１０は、同上のカウンターユニットの利用状態の他例を示す斜視図である。
【発明を実施するための形態】
【００１３】
本開示は、カウンターユニットに関し、詳しくは、化粧台や机としての利用と、調理台としての利用のどちらにも適したカウンターユニットに関する。
【００１４】
（実施形態）
１．概要
図１及び図２Ａ，Ｂに示すように、本実施形態のカウンターユニット１は、作業カウンター２と、作業カウンター２の一部に設置され、作業カウンター２より高く位置する上端開口３０を有するシンク３と、上端開口３０を開閉する蓋部材４と、を備える。
【００１５】
蓋部材４は、作業カウンター２の上方において水平方向に移動することで、上端開口３０を閉じる閉位置（図２Ａ参照）と上端開口３０を開く開位置（図２Ｂ参照）との間で移動可能である。蓋部材４の上面４０は、閉位置と開位置の間のいずれの位置においても、作業カウンター２より高く位置する。
【００１６】
本実施形態のカウンターユニット１では、作業カウンター２を、化粧台や机として利用でき、そのうえ、作業カウンター２よりも高く位置する蓋部材４の上面４０を、調理作業を行う調理作業面として利用することができる。そのため、本実施形態のカウンターユニット１は、化粧台や机としての利用と、調理台としての利用のどちらにも適している。
【００１７】
２．各構成についての説明
本実施形態のカウンターユニット１は、作業カウンター２、シンク３、及び蓋部材４に加えて、網かご５、及びワゴン６を備える。
【００１８】
作業カウンター２は、一方向に長尺な矩形板状であり、居室の壁１００に固定されている。以下では、作業カウンター２の長手方向を左右方向とし、壁１００に対して作業カウンター２が位置する方向を前方とし、その反対方向を後方として、各構成について詳しく説明する。
【００１９】
２−１．作業カウンター
作業カウンター２は、左右方向に長尺な矩形板状である。作業カウンター２は、化粧台や机としての利用に適した周知の材料で形成される。作業カウンター２は、例えば木製である。作業カウンター２の上面２０は、平坦面である。
【００２０】
作業カウンター２の上面２０の高さは、利用者が椅子７に座った状態で、上面２０上での各種の作業（化粧や読書等）が行いやすい高さに設定されている。上面２０の高さは、例えば、７００ｍｍ程度である。
【００２１】
作業カウンター２の前端部には、ワゴン６が着脱可能に固定される被固定部２１が設けられている。本実施形態では、被固定部２１は、作業カウンター２の前端部に埋め込まれた鋼板等の磁性体である。
【００２２】
被固定部２１は、作業カウンター２の前端部のうちの、少なくとも左右方向の中央部分に設けられている。なお、被固定部２１は、作業カウンター２の前端部に、左右方向の全長にわたって設けられてもよい。また、被固定部２１は、作業カウンター２の前端面に取り付けられてもよい。
【００２３】
作業カウンター２は、例えばＬ字状のアングル材を介して、壁１００に固定されている。作業カウンター２の下方には、椅子７に座った利用者が脚を入れることの可能なスペースが形成される。
【００２４】
２−２．シンク
シンク３は、作業カウンター２の上面２０の上に置かれた別体のシンクである。本実施形態では、シンク３は、作業カウンター２の上面２０の右端部の上に置かれている。
【００２５】
シンク３は、蓋部材４を下方から支持し、蓋部材４の前後方向の位置ずれを規制し、かつ蓋部材４の左右方向の移動を許容するように形成されている。
【００２６】
図３Ａ〜Ｄに示すように、シンク３は、底壁３１、前壁３２、後壁３３、側壁３４、内側壁３５、上壁３６、及び外側壁３７を有する。
【００２７】
底壁３１は、矩形板状である。底壁３１の左端部から側壁３４が上方に突出し、底壁３１の右端部から内側壁３５が上方に突出している。内側壁３５の上端部から上壁３６が右方に突出し、上壁３６の右端部から外側壁３７が下方に突出している。
【００２８】
前壁３２は、底壁３１、側壁３４、内側壁３５、上壁３６及び外側壁３７のそれぞれの前端部と一体である。後壁３３は、底壁３１、側壁３４、内側壁３５、上壁３６及び外側壁３７のそれぞれの後端部と一体である。前壁３２と後壁３３は、互いに平行であり、側壁３４と内側壁３５と外側壁３７は、互いに平行である。
【００２９】
上壁３６には、水栓８（図２Ａ等参照）が取り付けられる取付孔３６０が上下方向に貫通するように形成されている。底壁３１には、排水口３１０が上下方向に貫通するように形成されている。排水口３１０には、排水口蓋３８が取り付けられる。排水口３１０と排水口蓋３８との間には、排水のための僅かな隙間が形成される。
【００３０】
図３Ｃに示すように、前壁３２の上面３２０は、後下がりの傾斜面を有し、後壁３３の上面３３０は、前下がりの傾斜面を有する。上面３２０，３３０は、蓋部材４の開位置と閉位置との間での水平方向（左右方向）の移動をガイドするガイド部を構成している。蓋部材４は、上面３２０，３３０のそれぞれにすりながら接して移動することで、左右方向の直線移動がガイドされる。上面３２０，３３０は、蓋部材４の前後方向のがたつきも規制する。
【００３１】
図３Ｂに示すように、側壁３４と内側壁３５の高さは、互いに同じであり、前壁３２及び後壁３３の高さよりも若干低い。前壁３２、後壁３３、側壁３４、及び内側壁３５のそれぞれの上端部で囲まれる部分が、シンク３の上端開口３０である。
【００３２】
上壁３６の上面３６１は、内側壁３５の上面よりも若干高い。上面３６１の右端部は、他の部分よりも盛り上がった堰を構成している。この堰があることで、上壁３６の上面３６１上の液体が、堰を越えてシンク３の外側（右側）に流出することを抑制することができる。
【００３３】
側壁３４の外面３４０（左面）の下部には、外面３４０の他の部分に比べて右側に凹んだ凹み３４１が形成されている。
【００３４】
シンク３は、例えば合成樹脂製である。シンク３は、例えば射出成型によって形成される。
【００３５】
２−３．蓋部材
蓋部材４は、シンク３の上端開口３０を開閉する機能と、調理作業用の台としての機能とを有する。蓋部材４の上面４０の高さは、作業カウンター２の上面２０から１５０ｍｍ程度上方である。蓋部材４の上面４０の高さは、立った状態での調理作業が利用しやすい高さに設定される。蓋部材４は、例えば合成樹脂製であり、シンク３と同じ材料で形成される。蓋部材４の重さは、２．８ｋｇ程度である。
【００３６】
図４Ａ〜Ｃに示すように、蓋部材４は、矩形板状の蓋本体４１と、蓋本体４１から下方に突出し、作業カウンター２に載る脚部４２と、を有する。
【００３７】
蓋本体４１の上面が、蓋部材４の上面４０である。上面４０の外周部は、上面４０の他の部分よりも盛り上がった堰部分４３を有する。本実施形態では、堰部分４３は、上面４０の前後の端部と左端部のそれぞれに形成されて、平面視Ｕ字状をなしている。堰部分４３は、外側の部分ほど上側に位置するように凹曲面状に傾斜した傾斜部４３０と、傾斜部４３０の上端と連続する平坦な平坦部４３１とを有する。なお、堰部分４３は、その上端の高さが上面４０の他の部分よりも高ければよく、その形状は特に限定されない。上面４０のうち堰部分４３で囲まれた部分４４は、平坦面である。この部分４４上の水は、右端部から落下させることで、シンク３内に排水可能である。
【００３８】
蓋部材４は、開位置においてシンク３に引っ掛かり、蓋部材４が開位置を越えて上端開口３０から離れる方向に水平移動することを規制する規制部４５を有する。規制部４５は、本実施形態では、蓋本体４１の右縁よりも若干内側（左側）の部分から下方に突出した突起４５０である。
【００３９】
突起４５０は、前後方向に延びた突条のリブである。突起４５０は、蓋部材４をシンク３上に載せた状態で、シンク３の上端開口３０内に位置し、後壁３３から前方に離れて位置するように、その配置が設定されている。図５に示すように、蓋部材４が閉位置にあるとき、突起４５０は、シンク３の内側壁３５の上端部から若干離れて位置する。
【００４０】
図４Ｂ及び図４Ｃに示すように、蓋本体４１の前端面４１０は、後下がりに傾斜した傾斜面を有し、蓋本体４１の後端面４１１は、前下がりに傾斜した傾斜面を有する。蓋本体４１の前端面４１０の傾斜面と、シンク３の前壁３２の上面３２０の傾斜面とは、傾きが互いに同じであり、蓋本体４１の前端面４１０の傾斜面は、シンク３の前壁３２の上面３２０の傾斜面に面接触する。
【００４１】
図４Ａ及び図４Ｂに示すように、蓋本体４１の下面４１２のうち、突起４５０よりも後側の部分には、他の部分よりも上側に凹んだ凹部４１３が形成されている。凹部４１３は、下面４１２の左右方向の全長にわたっている。
【００４２】
脚部４２は、本実施形態では、矩形板状の壁である。脚部４２は、蓋本体４１の左端部の前後方向の全長から下方に突出している。脚部４２の下端部の前後方向の両端部を除く残りの部分には、左右方向及び下方に開口した切欠き４２０が形成されている。図４Ｂ、図４Ｃ及び図４Ｄに示すように、切欠き４２０の底部の左端部からは、指を引っ掛けるための突起４２１が下方に突出している。突起４２１は、切欠き４２０に、前後方向の全長にわたって形成されている。突起４２１は、脚部４２の厚み内に収まっている。本実施形態では、突起４２１の左面は、脚部４２の左面と面一である。
【００４３】
脚部４２の前後方向の両端部の下面（切り欠き４２０よりも前後の下面）には、蓋部材４の水平移動を円滑化するための滑りやすい樹脂が取り付けられている。この樹脂と作業カウンター２との間の摩擦係数は、作業カウンター２と脚部４２との間の摩擦係数よりも小さい。
【００４４】
脚部４２の前後方向の両端部の下面と脚部４２の左面とでなされる角部は、凸曲面となっている。また、脚部４２の前後方向の両端部の下面と脚部４２の右面とでなされる角部は、凸曲面となっている。これにより、脚部４２は、左右方向に水平移動しやすくなっている。
【００４５】
図５には、閉位置にあるときの蓋部材４と、シンク３とが示されている。
【００４６】
蓋部材４が閉位置にあるとき、蓋部材４の脚部４２が、シンク３の側壁３４の左面に当たり、蓋部材４の蓋本体４１が、上方から見てシンク３の上端開口３０の全体を閉塞する。このとき、蓋本体４１の下面４１２の右端部と、シンク３の内側壁３５の上面との間と、蓋本体４１の右端部とシンク３の上壁３６との間にはそれぞれ、僅かな隙間が形成される。この隙間を通じて、シンク３の上壁３６上の液体や、蓋本体４１の上面４０上の液体は、シンク３内へと排水可能である。
【００４７】
蓋部材４が閉位置にあるとき、脚部４２の切欠き４２０と側壁３４の凹み３４１とが左右に並んで、利用者の手指を挿入可能なスペースを形成する。利用者は、このスペースに手指を入れて、突起４２１に手指を引っ掛けて、脚部４２を左側へ移動させることで、蓋部材４を閉位置から開位置へと移動させることができる。また、利用者は、蓋部材４の蓋本体４１とシンク３の上壁３６との間の隙間に手指を挿入し、蓋本体４１の右端部に手指を引っ掛けて、蓋本体４１を左側へ移動させることによっても、蓋部材４を閉位置から開位置へと移動させることができる。
【００４８】
蓋部材４は、蓋部材４の蓋本体４１の前端面４１０が、シンク３の前壁３２の上面３２０にすれながら接することで、蓋部材４の左方への直線移動がガイドされる。
【００４９】
蓋部材４を閉位置から開位置へと移動させる際、蓋部材４の突起４５０が、シンク３の側壁３４の右面に当たることで、蓋部材４の左側への移動が止まる。突起４５０がシンク３の側壁３４の右面に当たる状態が、蓋部材４が開位置にある状態である。
【００５０】
蓋部材４が開位置にあるとき、蓋本体４１の右端部は、シンク３の側壁３４によって下方から支持され、蓋本体４１の左端部は、脚部４２を介して作業カウンター２によって下方から支持される。これにより、蓋部材４は、蓋本体４１が作業カウンター２から上方に離れた位置に安定的に保持される。
【００５１】
またこのとき、蓋本体４１の前後の端面４１０，４１１が、シンク３の前後の壁３２，３３の上面３２０，３３０に接することによって、蓋部材４の前後方向のぐらつきが抑制される。
【００５２】
蓋部材４の開位置から閉位置への移動は、蓋部材４の脚部４２を左側へ押すことで、行える。蓋部材４の開位置から閉位置への移動は、蓋本体４１の前端面４１０がシンク３の前壁３２の上面３２０にすれながら接することで、蓋部材４の右方への直線移動がガイドされる。
【００５３】
２−４．網かご
網かご５は、図２Ｂ及び図５に示すように、シンク３内に設置される。網かご５は、洗剤の入った容器９等の物を置くことができる傾斜した底面５０を有する。本実施形態の網かご５は、傾斜した底面５０に加えて、平坦な第二底面５１を有する。底面５０の最下部と第二底面５１とは、上下位置が互いに略同じである。網かご５は、ステンレス等の金属の複数の線材を折り曲げ、溶接等で組み合わせたものである。
【００５４】
網かご５は、底面５０の上方に位置する第一収容部５２と、第二底面５１の上方に位置する第二収容部５３とを有する。第一収容部５２は、網かご５の左部分を構成し、第二収容部５３は、網かご５の左右方向の中央部を構成する。第一収容部５２は、上方に開放した空間である。第一収容部５２には、上方から、容器９が出し入れ可能である。
【００５５】
容器９としては、底面５０上に載せた状態で、シンク３の上端開口３０から上方に突出しない長さのものが用いられる。容器９は、底面５０上に載せることで、自身の長手方向が鉛直方向に対して傾いた姿勢で第一収容部５２内に収容される。これにより、容器９がシンク３の上端開口３０よりも上方に突出することが防がれ、容器９が蓋部材４の水平移動の邪魔になりにくい。
【００５６】
第二収容部５３は、上方及び前方に開放した空間である。第二収容部５３には、上方または前方から、食器洗い用のスポンジ１０等が出し入れ可能である。
【００５７】
本実施形態では、網かご５は、その左右の端部がシンク３の側壁３４と内側壁３５とで下方から支持されることで、シンク３内に設置される。網かご５は、シンク３の後部に設置され、後壁３３の前面に近接して位置する。網かご５は、シンク３に対して着脱可能である。
【００５８】
蓋部材４を閉位置に配置したとき、網かご５の上端部（網かご５のうちシンク３の側壁３４，３５よりも上側の部分）は、蓋部材４の下面４１２の凹部４１３に収まる。これにより、蓋部材４が網かご５に乗り上げて、蓋部材４がぐらつくことを抑制することができる。
【００５９】
２−５．ワゴン
図６に示すように、ワゴン６は、ワゴン本体６０と、ワゴン本体６０を水平方向に移動可能に支持する複数のローラー６１と、ワゴン本体６０を作業カウンター２に着脱可能に固定する固定部６２と、を有する。ワゴン６は、水平方向のいずれの方向にも移動可能である。
【００６０】
ワゴン本体６０は、作業カウンター２よりも高く位置する調理作業面６００を有する。本実施形態では、ワゴン本体６０は、前面が開口した略直方体状の箱体である。ワゴン本体６０の上面が、調理作業面６００である。調理作業面６００の高さは、蓋部材４の上面４０の高さと略同じである。なお、調理作業面６００は、その外周部が他の部分よりも盛り上がった堰部分となっていてもよい。
【００６１】
ワゴン本体６０には、複数の引き出し６３と、家電ワゴン６４と、トレイ６５とが、出し入れ可能に収容される。ワゴン本体６０の底面に、複数のローラー６１が取り付けられている。
【００６２】
固定部６２は、本実施形態では、ワゴン本体６０に埋め込まれた磁石である。固定部６２は、ワゴン本体６０の側壁のうち、作業カウンター２の被固定部２１（図１０等参照）と同じ高さに配置されており、被固定部２１に対して磁力で吸着する。
【００６３】
なお、固定部６２は、被固定部２１に対して着脱可能に固定されるように構成されたものであればよく、引っ掛かる等して、作業カウンター２に対する位置が固定される構造であってもよい。
【００６４】
複数の引き出し６３は、本実施形態では、上下に並ぶ３つの引き出し６３で構成される。３つの引き出し６３のうちの上２つの引き出しには、包丁、レードル、箸等の調理用具や、調味料や、ラップ、アルミホイル等のキッチン用品が収容される。一番下の引き出し６３には、醤油、みりん、料理酒、油等のボトルが収容される。
【００６５】
トレイ６５は、シリコン等の耐熱素材で形成されたプレートである。トレイ６５は、ワゴン本体６０から引き出した状態で、ワゴン本体６０によって支持される。
【００６６】
図７に示すように、家電ワゴン６４は、電気ケトル１１、炊飯器１２等のキッチン家電が収容されるワゴンである。家電ワゴン６４は、底部に家電ワゴン６４を水平方向に移動可能に支持する複数のローラー６４０を有している。家電ワゴン６４は、ワゴン本体６０とは独立して水平方向に移動可能である。
【００６７】
家電ワゴン６４は、ワゴン本体６０の前面の開口を塞ぐ前板６４１と、前板６４１の下端部から後方に突出した下棚部６４２と、前板６４１の下棚部６４２よりも高い位置から後方に突出した上棚部６４３と、を有する。家電ワゴン６４は、上棚部６４３の下方の空間とそれよりも後方の空間とを仕切る仕切板６４４を更に有する。
【００６８】
上棚部６４３の上面と下棚部６４２の上面のそれぞれの外周縁には、上方に突出した立ち上がり部６４５が形成されている。これにより、上棚部６４３に置かれた電気ケトル１１と、下棚部６４２に置かれた炊飯器１２のそれぞれが落下しにくくなっている。
【００６９】
前板６４１と仕切板６４４と上棚部６４３と下棚部６４２とで囲まれる空間は、電気ケトル１１と炊飯器１２のコードを収容するコード収容空間である。コード収容空間には、電気ケトル１１のコードと炊飯器１２のコードが接続されるテーブルタップが収容される。このテーブルタップのプラグ１３をコンセントに接続することで、電気ケトル１１と炊飯器１２に、電力が供給される。
【００７０】
上棚部６４３は、仕切板６４４上から着脱可能である。上棚部６４３の一部（本実施形態では前端部）には、電気ケトル１１のコードを挿入するための挿入孔６４６が形成されている。仕切板６４４の一部（本実施形態では下端部）には、炊飯器１２のコードを挿入するための挿入孔６４７が形成されている。上棚部６４３を取り外すことで、コード収容空間内へのテーブルタップの出し入れや、電気ケトル１１及び炊飯器１２のコードのテーブルタップへの付け外しを行うことができる。
【００７１】
２−６．その他
図１に示すように、カウンターユニット１は、作業カウンター２の側方に設置される収容棚１４を更に備える。
【００７２】
収容棚１４は、電子レンジ１５が収容されるレンジ収容部１４０と、レンジ収容部１４０よりも下方に位置し、ワゴン６が収容されるワゴン収容部１４１と、レンジ収容部１４０より上方に位置し、食器等が収容される食器収容部１４２とを有する。
【００７３】
図８に示すように、収容棚１４の上部には、換気扇１４３が取り付けられている。本実施形態では、収容棚１４の天板を貫通するように換気扇１４３が取り付けられている。換気扇１４３がある収容棚１４の上端部の空間とレンジ収容部１４０とは、通気可能に繋がっており、レンジ収容部１４０と収容棚１４の外側の空間とは、通気可能に繋がっている。そのため、電子レンジ１５の熱気や臭い、及び、作業カウンター２上での調理の熱気や臭いは、換気扇１４３によって換気可能である。
【００７４】
ワゴン６は、ワゴン収容部１４１に、出し入れ可能である。ワゴン６をワゴン収容部１４１内に収容した状態で、トレイ６５を引き出すことで、トレイ６５は、電子レンジ１５での調理を補助する台として利用可能である。
【００７５】
家電ワゴン６４は、ワゴン本体６０に対して独立して移動可能であるため、必要に応じて、家電ワゴン６４だけを収容棚１４から引き出して利用することも可能である。
【００７６】
３．カウンターユニットの利用方法
カウンターユニット１の利用方法の一例について説明する。
【００７７】
作業カウンター２を化粧台や机として利用する場合、図１に示すように、蓋部材４を閉位置に配置する。これにより、蓋部材４の蓋本体４１の略全体がシンク３の上方に位置して、作業カウンター２上に作業可能なエリアを広く確保することができる。
【００７８】
またこの場合、シンク３の上端開口３０が蓋部材４の蓋本体４１によって塞がれるため、シンク３内に物が落ちて濡れたりすることを防ぐことができる。またこの場合、蓋部材４は、物を置く台としても利用可能である。
【００７９】
なお、カウンターユニット１を化粧台として利用する場合、蓋部材４を開位置に配置して、シンク３を手洗器として利用してもよい。
【００８０】
カウンターユニット１を調理台として利用する場合、図９に示すように、蓋部材４を開位置に配置する。またこの場合、必要に応じて、作業カウンター２の上（蓋部材４よりも左側の部分）に、ＩＨ（ｉｎｄｕｃｔｉｏｎ  ｈｅａｔｉｎｇ）調理器１６を置く。
【００８１】
これにより、作業カウンター２よりも高い位置に、蓋部材４の上面４０で構成される調理作業面を設けることができる。ここで、蓋部材４の上面４０は、作業カウンター２よりも高い位置にあるため、立った姿勢での調理作業に適した高さとなっている。
【００８２】
蓋部材４の上面４０には、まな板１７を載せて、包丁１８で食材をカットすることができる。このとき、蓋部材４はシンク３の前後の壁３２，３３によって前後から挟みこまれているため、蓋部材４のぐらつきが抑えられ、カット作業が行いやすい。
【００８３】
カウンターユニット１を調理台として利用する場合、図１０に示すように、ワゴン６を収容棚１４から引き出して、ワゴン６の固定部６２を作業カウンター２の被固定部２１に固定してもよい。
【００８４】
この場合、作業カウンター２よりも高い位置に、ワゴン６の上面で構成される調理作業面６００を設けることができ、調理作業を行うための面を増やすことができる。また、ワゴン６からトレイ６５を引き出すことで、調理作業を行うための面を更に増やすことも可能である。
【００８５】
図９及び図１０に示すように、カウンターユニット１を調理台として利用する場合、作業カウンター２のうち、開位置にある蓋部材４の蓋本体４１の下方の部分も、皿等を仮置きするエリアとして利用可能である。
【００８６】
以上述べたように、本実施形態のカウンターユニット１は、化粧台や机としての利用に適した高さの作業カウンター２の上面２０と、調理作業を行う際の立った姿勢での利用に適した高さの、蓋部材４の上面４０とワゴン６の調理作業面６００とを有している。
【００８７】
そのため、本実施形態のカウンターユニット１は、化粧台や机としての利用と、調理台としての利用のどちらにも適している。
【００８８】
４．変形例
以上説明した本実施形態のカウンターユニット１は、下記の変形例を採用可能である。
【００８９】
作業カウンター２は、板状のカウンター本体と、カウンター本体から下方に突出して居間の床面に載る脚部とを備えるテーブルタイプであってもよい。
【００９０】
シンク３は、上端開口３０が作業カウンター２よりも高く位置するように作業カウンター２の一部に設置されればよく、シンク３の一部が作業カウンター２に埋まるように設置されてもよい。
【００９１】
蓋部材４は、板状の蓋本体４１のみで構成され、脚部４２を有さなくてもよい。この場合、例えば、壁１００に蓋部材４を水平方向に移動可能に支持する構造が形成される。
【００９２】
蓋部材４は、規制部４５を有さなくてもよい。また、規制部４５は、突起に限らず、凹みであってもよく、この場合、シンク３の側壁３４の上面に、この凹みに嵌まる突起が形成される。
【００９３】
シンク３は、蓋部材４の水平移動をガイドするガイド部を有さなくてもよい。
【００９４】
蓋部材４の上面４０は、その全体が平坦であってもよく、堰部分４３を有さなくてもよい。
【００９５】
カウンターユニット１は、網かご５を備えなくてもよく、シンク３の上壁３６の上に、洗剤の入った容器９やスポンジ１０を配置してもよい。
【００９６】
網かご５は、シンク３内に設置されるものであればよく、シンク３の側壁３４，３５によって支持されるものに限らず、底壁３１によって支持されるものであってもよい。
【００９７】
カウンターユニット１は、水平移動の可能なワゴン６を備えなくてもよい。
【００９８】
カウンターユニット１は、収容棚１４を備えなくてもよい。
【００９９】
蓋部材４の上面４０の高さは、開位置にあるときと閉位置にあるときとで多少変化してもよい。
【０１００】
蓋部材４は、開位置にあるときに、シンク３に支持されるのではなく、自立する構造であってもよい。例えば、蓋部材４は、蓋本体４１の右側の端部にも、蓋本体４１を支持する脚部を有してもよい。
【０１０１】
５．まとめ
上述した実施形態及びその変形例のカウンターユニット１のように、第一態様のカウンターユニット１は、下記の構成を備える。
【０１０２】
すなわち、第一態様のカウンターユニット１は、作業カウンター２と、作業カウンター２の一部に設置され、作業カウンター２より高く位置する上端開口３０を有するシンク３と、上端開口３０を開閉する蓋部材４と、を備える。
【０１０３】
蓋部材４は、作業カウンター２の上方において水平方向に移動することで、上端開口３０を閉じる閉位置と上端開口３０を開く開位置との間で移動可能である。蓋部材４の上面４０は、閉位置と開位置の間のいずれの位置においても、作業カウンター２より高く位置する。
【０１０４】
上記構成を備えることで、第一態様のカウンターユニット１では、作業カウンター２を化粧台や机として利用でき、作業カウンター２よりも高く位置する蓋部材４の上面４０を、立った状態で調理作業を行う面として利用することができる。そのため、第一態様のカウンターユニット１は、化粧台や机としての利用と、調理台としての利用のどちらにも適している。
【０１０５】
また、上述した実施形態及びその変形例のカウンターユニット１のように、第二態様のカウンターユニット１は、第一態様のカウンターユニット１の構成に加えて、下記の構成を付加的に備える。
【０１０６】
すなわち、第二態様のカウンターユニット１では、蓋部材４は、蓋本体４１と、蓋本体４１から下方に突出し、作業カウンター２に載る脚部４２と、を有する。
【０１０７】
上記構成を備えることで、第二態様のカウンターユニット１では、蓋部材４は、脚部４２が作業カウンター２によって下から支えられて、調理作業時にぐらつきにくい。
【０１０８】
また、上述した実施形態及びその変形例のカウンターユニット１のように、第三態様のカウンターユニット１は、第一または第二態様のカウンターユニット１の構成に加えて、下記の構成を付加的に備える。
【０１０９】
すなわち、第三態様のカウンターユニット１では、蓋部材４は、開位置においてシンク３に引っ掛かり、蓋部材４が開位置を越えて上端開口３０から離れる方向に水平移動することを規制する規制部４５を有する。
【０１１０】
上記構成を備えることで、第三態様のカウンターユニット１では、蓋部材４を閉位置から開位置へと移動させる際に、蓋部材４が開位置を越えてシンク３から離れて、シンク３によって支持される状態が解除されることを防ぐことができる。
【０１１１】
また、上述した実施形態及びその変形例のカウンターユニット１のように、第四態様のカウンターユニット１は、第一から第二のいずれか一つの態様のカウンターユニット１の構成に加えて、下記の構成を付加的に備える。
【０１１２】
すなわち、第四態様のカウンターユニット１では、シンク３は、蓋部材４の水平移動を、蓋部材４にすりながら接してガイドするように構成されたガイド部を有する。
【０１１３】
上記構成を備えることで、第四態様のカウンターユニット１では、蓋部材４の水平移動を円滑に行うことができる。
【０１１４】
また、上述した実施形態及びその変形例のカウンターユニット１のように、第五態様のカウンターユニット１は、第一から第四のいずれか一つの態様のカウンターユニット１の構成に加えて、下記の構成を付加的に備える。
【０１１５】
すなわち、第五態様のカウンターユニット１では、蓋部材４の上面４０の外周部は、上面４０の他の部分よりも盛り上がった堰部分４３を有する。
【０１１６】
上記構成を備えることで、第五態様のカウンターユニット１では、蓋部材４の上面４０上の液体が、作業カウンター２に落下することを堰部分４３によって抑制することができる。
【０１１７】
また、上述した実施形態及びその変形例のカウンターユニット１のように、第六態様のカウンターユニット１は、第一から第五のいずれか一つの態様のカウンターユニット１の構成に加えて、下記の構成を付加的に備える。
【０１１８】
すなわち、第六態様のカウンターユニット１では、シンク３内に設置される網かご５を更に備え、網かご５は、物を置くことのできる傾斜した底面５０を有する。
【０１１９】
上記構成を備えることで、第六態様のカウンターユニット１では、網かご５の底面５０上に、洗剤の入った容器９等の物を置いたときに、容器９が網かご５から上方に突出しにくくて、容器９が蓋部材４の水平移動の邪魔になりにくい。
【０１２０】
また、上述した実施形態及びその変形例のカウンターユニット１のように、第七態様のカウンターユニット１は、第一から第六のいずれか一つの態様のカウンターユニット１の構成に加えて、下記の構成を付加的に備える。
【０１２１】
すなわち、第七態様のカウンターユニット１は、ワゴン６を更に備える。ワゴン６は、作業カウンター２よりも高く位置する調理作業面６００を有するワゴン本体６０と、ワゴン本体６０を水平方向に移動可能に支持するローラー６１と、ワゴン本体６０を作業カウンター２に着脱可能に固定する固定部６２と、を有する。
【０１２２】
上記構成を備えることで、第七態様のカウンターユニット１では、作業カウンター２よりも高く位置する調理作業を行うための面を、ワゴン６の調理作業面６００によって増やすことができる。また、第七態様のカウンターユニット１では、ワゴン６を作業カウンター２に固定することができるため、ワゴン６の調理作業面６００上で調理作業を行う際に、ワゴン６のぐらつきを抑えることができる。
【０１２３】
以上、本開示を添付図面に示す実施形態に基づいて説明したが、本開示は上記の実施形態に限定されるものではなく、本開示の意図する範囲内であれば、適宜の設計変更が可能である。
【符号の説明】
【０１２４】
１      カウンターユニット
２      作業カウンター
３      シンク
３０    上端開口
４      蓋部材
４０    上面
４１    蓋本体
４２    脚部
４３    堰部分
４５    規制部
５      網かご
５０    底面
６      ワゴン
６０    ワゴン本体
６１    ローラー
６２    固定部
６００  調理作業面
【図１】
2020078404.tif 000003
【図２】
2020078404.tif 000004
【図３】
2020078404.tif 000005
【図４】
2020078404.tif 000006
【図５】
2020078404.tif 000007
【図６】
2020078404.tif 000008
【図７】
2020078404.tif 000009
【図８】
2020078404.tif 000010
【図９】
2020078404.tif 000011
【図１０】
2020078404.tif 000012